(57)【要約】【課題】片持梁構造で起立し鋼管の曲げ変形特性を生かせる柔な構造であり、しかも巨礫の衝突に対しても粘り強い変形特性ないし耐力を有し、開口部高の高い透過型堰堤にも対応可能なメインテナンスのし易い構造の透過型堰堤を実現する。【解決手段】底版コンクリート６に、複数の基礎さや鋼管１１を配設するとともに、基礎さや鋼管１１の左右にアンカー鉄筋１６を、基礎さや鋼管１１の下流側に当接して支持材１７を、それぞれ水平に配置し、直立鋼管柱７を、基礎さや鋼管１１に挿入して片持ち梁構造で起立させ、直立鋼管柱７内に、それぞれ砂を充填することによって、直立鋼管柱７を、底版コンクリート６の上に片持ち梁構造で起立して成る透過型堰堤１を施工する。【選択図】図４
2019157578.tif 000002
【特許請求の範囲】
【請求項１】
底版コンクリート上に起立した複数の片持ち梁構造の直立鋼管柱を備えた透過型堰堤の施工方法であって、
底版コンクリートの構築において、複数の基礎さや鋼管をその上端開口が底版コンクリートの上面と同じ高さとなるように配設するとともに、底版コンクリートの上面より下方の位置であって、複数の基礎さや鋼管のそれぞれの左右両側には、渓流の流れ方向に沿ったアンカー鉄筋を水平に配設し、複数の基礎さや鋼管の下流側に当接して、渓流の横断方向に沿った支持材を水平に配設し、
底版コンクリートに設置した複数の基礎さや鋼管に、複数の直立鋼管柱を挿入して片持ち梁構造で起立させ、
起立させた複数の直立鋼管柱内に、それぞれ砂を充填することを特徴とする透過型堰堤の施工方法。
【請求項２】
基礎さや鋼管は、その内面に、基礎さや鋼管の長手方向に延びる間隔調整部材が周方向に間隔をおいて複数有するものを使用し、
直立鋼管柱を基礎さや鋼管に挿入する際に、直立鋼管柱のガタつきを防ぎ鉛直度を保つとともに、直立鋼管柱を間隔調整部材によって案内して挿入することを特徴とする請求項１に記載の透過型堰堤の施工方法。
【請求項３】
直立鋼管柱は、同径の上部鋼管と下部鋼管を、外面に長手方向に延び周方向に間隔をおいて形成された間隔調整部材を有する内部連結鋼管によって繋ぎ合わせて成るものを使用し、
前記直立鋼管柱の基礎さや鋼管への挿入は、該直立鋼管柱を構成する下部鋼管を挿入して行い、
該挿入後、下部鋼管に取り付けたストッパー部材まで、下部鋼管内に砂を充填し、
その後、内部連結鋼管を下部鋼管内に挿入し、内部連結鋼管の間隔調整部材を介して形成された内部連結鋼管と下部鋼管の間隙内に砂又はセメントペーストを充填したうえ、内部連結鋼管内に砂を充填し、
さらに、上部鋼管を内部連結鋼管の外側から被せるように挿入することによって、上部鋼管と下部鋼管を結合して繋ぎ合わせ、その後、上部鋼管内に砂を充填することを特徴とする請求項１又は２に記載の透過型堰堤の施工方法。
【請求項４】
直立鋼管柱は、上部鋼管と、内面に長手方向に延び周方向に間隔をおいて形成された間隔調整部材及びストッパー部材を有する下部鋼管と、を繋ぎ合わせて成るものを使用し、
前記直立鋼管柱を基礎さや鋼管への挿入は、該直立鋼管柱を構成する下部鋼管を挿入して行い、
該挿入後、下部鋼管内にストッパー部材まで砂を充填し、
その後、上部鋼管を下部鋼管内に挿入し、下部鋼管の間隔調整部材を介して形成された下部鋼管と上部鋼管の間隙内に砂又はセメントペーストを充填して、上部鋼管と下部鋼管を結合して繋ぎ合わせ、
さらに、上部鋼管に砂を充填することを特徴とする請求項１又は２に記載の透過型堰堤の施工方法。
【請求項５】
底版コンクリート上に起立した複数の片持ち梁構造の直立鋼管柱を備えた透過型堰堤であって、
底版コンクリートには、上端開口が底版コンクリートの上面と同じ高さの複数の基礎さや鋼管が配設されているとともに、底版コンクリートの上面より下方には、複数の基礎さや鋼管のそれぞれの左右両側の位置に、渓流の流れ方向に沿ったアンカー鉄筋が水平に配設されており、複数の基礎さや鋼管の下流側に当接して、渓流の横断方向に沿った支持材が水平に配設されており、
複数の直立鋼管柱は、複数の基礎さや鋼管に挿入して片持ち梁構造で起立されて設けられており、
複数の直立鋼管柱内には、それぞれ砂が充填されていることを特徴とする透過型堰堤。
【請求項６】
基礎さや鋼管は、その内面に、長手方向に延びる間隔調整部材が周方向に間隔をおいて複数設けられており、
直立鋼管柱は、基礎さや鋼管の間隔調整部材を介して基礎さや鋼管内に同心で挿入されて片持ち梁構造で起立されている構成であることを特徴とする請求項５に記載の透過型堰堤。
【請求項７】
直立鋼管柱は、同径の上部鋼管と下部鋼管を、外面に長手方向に延び周方向に間隔をおいて形成された間隔調整部材を有する内部連結鋼管によって繋ぎ合わせて成り、
下部鋼管は、ストッパー部材を有し、基礎さや鋼管内に挿入され、ストッパー部材の高さまで砂が充填されており、
内部連結鋼管は、その外面に長手方向に延び周方向に間隔をおいて形成された間隔調整部材を有し、下部鋼管内に挿入されており、内部連結鋼管の間隔調整部材を介して形成された内部連結鋼管と下部鋼管の間隙には、砂又はセメントペーストが充填されており、
上部鋼管は、内部連結鋼管の外側から被せるように挿入されて下部鋼管の上端面に載置されており、内部連結鋼管の間隔調整部材を介して形成された内部連結鋼管と上部鋼管の間隙には、砂又はセメントペーストが充填されている構成であることを特徴とする請求項５又は６に記載の透過型堰堤。
【請求項８】
直立鋼管柱は、上部鋼管と下部鋼管が繋ぎ合わせて成り、
下部鋼管は、その内面に長手方向に延び周方向に間隔をおいて形成された間隔調整部材と、ストッパー部材と、を有し、砂がストッパー部材の高さまで充填されており、
上部鋼管は、下部鋼管内に挿入されてストッパー部材上に載置されており、
上部鋼管と下部鋼管は、下部鋼管の間隔調整部材を介して形成された上部鋼管と下部鋼管の間隙内に、砂又はセメントペーストが充填されて繋ぎ合わされているとともに、
砂が上部鋼管内に充填されていることを特徴とする請求項５又は６に記載の透過型堰堤。
【請求項９】
複数の直立鋼管柱は、渓流横断方向に向けて平面視でジグザグとなるように、渓流方向で２〜３列で配置されており、しかも互いに隣接する直立鋼管柱の中心で正三角形を形成するように配置されていることを特徴とする請求項５〜８のいずれかに記載の透過型堰堤。
【発明の詳細な説明】
【技術分野】
【０００１】
本発明は、土石流、流木等を捕捉する透過型堰堤に関するものである。
【背景技術】
【０００２】
従来、土石流、流木等を捕捉する堰堤として、鋼管柱材と鋼管梁材とを縦横に接合して成る捕捉部材を、基礎コンクリート上に設け、鋼管柱材及び鋼管梁材は、それぞれフランジ継手部を介して接続する鋼管骨組構造とした構成が知られている（特許文献１参照）。そして、そのような鋼管骨組構造の堰堤を構成するフランジ付き鋼管を接合する、鋼管継手構造が知られている（特許文献２参照）。
【０００３】
また、上流側の鋼管材と下流側の鋼管材を渓流水の流れ方向に傾斜させて山形状に組み、コンクリート基礎に設置してなる自立式山形鋼管材を、渓流水の流れ方向とは直行する方向に間隔をあけて複数設置してなる鋼製透過ダムが知られている（特許文献３参照）。
【０００４】
地盤に鉛直に埋め込まれた基礎鞘管材と、基礎鞘管材内に挿入して直立する丸形の鋼管柱と、を備える自立式鋼管材を複数設置して構成される鋼製透過ダムにおいて、基礎鞘管材は、上端部が地盤の上面とほぼ面一に埋め込まれ、その内側壁面に、鋼管柱の直立姿勢を保持する水平部材が突設され、鋼管柱には、その外周面に、水平部材の下方に位置決めされる鉛直部材が突設され、基礎鞘管材の内側壁面と鋼管柱の外周面とが形成する隙間に、充填材が充填されている構成が知られている（特許文献４参照）。
【０００５】
また、流木防止柵基礎における渓流の幅方向に間隔をあけて設けた複数の筒状穴のそれぞれに、杭体の下部を着脱可能に挿入してなる流木防止柵が知られている（特許文献５参照）。 
【０００６】
さらに、少なくとも流下土砂礫が衝突したり水に浸る個所付近までを、外周面を弾性体製の被覆材で覆った保護材で囲んだ鋼材を、千鳥状に配置して成る鋼製透過型砂防ダムが知られている（特許文献６参照）。 
【先行技術文献】
【特許文献】
【０００７】
【特許文献１】特開２０１７−１０１５０７号公報
【特許文献２】特開２０１７−０４００７３号公報
【特許文献３】特開２０１２−２０７３７２号公報
【特許文献４】特許第５９５６４５０号公報
【特許文献５】特開平１１−０２９９２０号公報
【特許文献６】実開平５−０９６１２３号公報
【発明の概要】
【発明が解決しようとする課題】
【０００８】
特許文献１に記載の従来の鋼管骨組構造の堰堤では、例えば、特許文献２に示すようなフランジ継手部によって、鋼管を結合して組み立てるので、剛い構造となり、土石流、流木等が衝突することにより、フランジ継手部への負荷が繰り返されると、フランジ継手部のボルトが破断する等、フランジ継手部の破損が生じやすいものと考えられる。
【０００９】
また、特許文献３に記載の従来技術では、上流側の鋼管材と下流側の鋼管材とを山形状に組み、上端部を溶接で接合しているが、土石流、流木等が衝突することにより、溶接部への負荷が繰り返される、捕捉部材の破損が生じやすいものと考えられる。
【００１０】
さらに、特許文献４〜６に記載されたダムは、いずれも中空の鋼管を片持ちで直立した構造であり、水平部材がないのですっきりした構成となり、鋼管は曲げ変形特性を生かせる柔構造となるが、鋼管に巨礫等が繰り返し衝突すると、局部座屈（へこみ変形）が生じ、たわみ変形の進行にともない抵抗曲げモーメントが減少するひずみ軟化現象が生じるものと考えられる。
【００１１】
そして、特許文献４〜６に記載されたダムでは、複数の片持ちで直立した鋼管は、それぞれ１本の鋼管を直立に起立して設けた構成であるので、深い渓流に構築される堰堤の開口部高が高い場合は、１本の鋼管では十分な高さがとれず、高さにおいて限界がある。
【００１２】
本発明は上記従来技術の問題を解決することを目的とするものであり、片持梁形式でシンプルであって、鋼管の曲げ変形特性を生かせる柔な構造であり、しかも巨礫の衝突に対しても粘り強い変形特性ないし耐力を有し、渓流の深さが深く、大きな開口部高の透過型堰堤にも対応可能であり、メインテナンスのし易い構造の透過型堰堤を実現することを課題とする。
【課題を解決するための手段】
【００１３】
本発明は上記課題を解決するために、底版コンクリート上に起立した複数の片持ち梁構造の直立鋼管柱を備えた透過型堰堤の施工方法であって、底版コンクリートの構築において、複数の基礎さや鋼管をその上端開口が底版コンクリートの上面と同じ高さとなるように配設するとともに、底版コンクリートの上面より下方の位置であって、複数の基礎さや鋼管のそれぞれの左右両側には、渓流の流れ方向に沿ったアンカー鉄筋を水平に配設し、複数の基礎さや鋼管の下流側に当接して、渓流の横断方向に沿った支持材を水平に配設し、底版コンクリートに設置した複数の基礎さや鋼管に、複数の直立鋼管柱を挿入して片持ち梁構造で起立させ、起立させた複数の直立鋼管柱内に、それぞれ砂を充填することを特徴とする透過型堰堤の施工方法を提供する。
【００１４】
基礎さや鋼管は、その内面に、基礎さや鋼管の長手方向に延びる間隔調整部材が周方向に間隔をおいて複数有するものを使用し、直立鋼管柱を基礎さや鋼管に挿入する際に、直立鋼管柱のガタつきを防ぎ鉛直度を保つとともに、直立鋼管柱を間隔調整部材によって案内して挿入することが好ましい。
【００１５】
直立鋼管柱は、同径の上部鋼管と下部鋼管を、外面に長手方向に延び周方向に間隔をおいて形成された間隔調整部材を有する内部連結鋼管によって繋ぎ合わせて成るものを使用し、前記直立鋼管柱の基礎さや鋼管への挿入は、該直立鋼管柱を構成する下部鋼管を挿入して行い、該挿入後、下部鋼管に取り付けたストッパー部材まで、下部鋼管内に砂を充填し、その後、内部連結鋼管を下部鋼管内に挿入し、内部連結鋼管の間隔調整部材を介して形成された内部連結鋼管と下部鋼管の間隙内に砂又はセメントペーストを充填したうえ、内部連結鋼管内に砂を充填し、さらに、上部鋼管を内部連結鋼管の外側から被せるように挿入することによって、上部鋼管と下部鋼管を結合して繋ぎ合わせ、その後、上部鋼管内に砂を充填することが好ましい。
【００１６】
直立鋼管柱は、上部鋼管と、内面に長手方向に延び周方向に間隔をおいて形成された間隔調整部材及びストッパー部材を有する下部鋼管と、を繋ぎ合わせて成るものを使用し、前記直立鋼管柱を基礎さや鋼管への挿入は、該直立鋼管柱を構成する下部鋼管を挿入して行い、該挿入後、下部鋼管内にストッパー部材まで砂を充填し、その後、上部鋼管を下部鋼管内に挿入し、下部鋼管の間隔調整部材を介して形成された下部鋼管と上部鋼管の間隙内に砂又はセメントペーストを充填して、上部鋼管と下部鋼管を結合して繋ぎ合わせ、さらに、上部鋼管に砂を充填することが好ましい。
【００１７】
本発明は上記課題を解決するために、底版コンクリート上に起立した複数の片持ち梁構造の直立鋼管柱を備えた透過型堰堤であって、底版コンクリートには、上端開口が底版コンクリートの上面と同じ高さの複数の基礎さや鋼管が配設されているとともに、底版コンクリートの上面より下方には、複数の基礎さや鋼管のそれぞれの左右両側の位置に、渓流の流れ方向に沿ったアンカー鉄筋が水平に配設されており、複数の基礎さや鋼管の下流側に当接して、渓流の横断方向に沿った支持材が水平に配設されており、複数の直立鋼管柱は、複数の基礎さや鋼管に挿入して片持ち梁構造で起立されて設けられており、複数の直立鋼管柱内には、それぞれ砂が充填されていることを特徴とする透過型堰堤を提供する。
【００１８】
基礎さや鋼管は、その内面に、長手方向に延びる間隔調整部材が周方向に間隔をおいて複数設けられており、直立鋼管柱は、基礎さや鋼管の間隔調整部材を介して基礎さや鋼管内に同心で挿入されて片持ち梁構造で起立されている構成であることが好ましい。
【００１９】
直立鋼管柱は、同径の上部鋼管と下部鋼管を、外面に長手方向に延び周方向に間隔をおいて形成された間隔調整部材を有する内部連結鋼管によって繋ぎ合わせて成り、下部鋼管は、ストッパー部材を有し、基礎さや鋼管内に挿入され、ストッパー部材の高さまで砂が充填されており、内部連結鋼管は、その外面に長手方向に延び周方向に間隔をおいて形成された間隔調整部材を有し、下部鋼管内に挿入されており、内部連結鋼管の間隔調整部材を介して形成された内部連結鋼管と下部鋼管の間隙には、砂又はセメントペーストが充填されており、上部鋼管は、内部連結鋼管の外側から被せるように挿入されて下部鋼管の上端面に載置されており、内部連結鋼管の間隔調整部材を介して形成された内部連結鋼管と上部鋼管の間隙には、砂又はセメントペーストが充填されている構成であることが好ましい。
【００２０】
直立鋼管柱は、上部鋼管と下部鋼管が繋ぎ合わせて成り、下部鋼管は、その内面に長手方向に延び周方向に間隔をおいて形成された間隔調整部材と、ストッパー部材と、を有し、砂がストッパー部材の高さまで充填されており、上部鋼管は、下部鋼管内に挿入されてストッパー部材上に載置されており、上部鋼管と下部鋼管は、下部鋼管の間隔調整部材を介して形成された上部鋼管と下部鋼管の間隙内に、砂又はセメントペーストが充填されて繋ぎ合わされているとともに、砂が上部鋼管内に充填されていることが好ましい。
【００２１】
複数の直立鋼管柱は、渓流横断方向に向けて平面視でジグザグとなるように、渓流方向で２列で配置されており、しかも互いに隣接する直立鋼管柱の中心で正三角形を形成するように配置されていることが好ましい。
【発明の効果】
【００２２】
本発明によれば、次のような効果が生じる。
（１）従来のフランジ継手で結合されて組み立てられる剛な鋼管骨組構造と比べ、片持ち梁構造の直立鋼管柱を採用したので、片持ち梁構造で支持された鋼管の曲げ変形特性を生かせるフレキシブルで柔な構造となり、しかも直立鋼管柱内に砂を充填したので、巨礫の衝突に対しても粘り強い変形特性ないし耐力を有する。
【００２３】
（２）底版コンクリート内に、基礎さや鋼管の左右側及び下流側に、アンカー鉄筋及びアンカー鉄筋のアンカーとして機能する支持材を配置したので、基礎さや鋼管の周囲のコンクリート部を強化し、基礎さや鋼管自体も支持、補強されて設置強度が高まるとともに、基礎さや鋼管を設計上の適正な位置に位置決めし保持する。特に土石、流木等によって渓流の下流側に向けてかかる外力に対しても、位置ズレや変形を抑制することができる。
【００２４】
（３）基礎さや鋼管の内面に、周方向に間隔をおいて複数の長手方向に間隔調整部材を形成したので、鋼管間の隙間をごく狭くすることができることによって、直立鋼管柱の鉛直度合を良くしてガタつきを防ぐとともに、直立鋼管柱は、間隔調整部材がガイド（案内レール）となって、その挿脱がスムースに行うことが可能となり、捕捉し蓄積された土石、流木等の除去作業、或いはメインテナンスにおける直立鋼管柱の取り換え等の作業の際に、直立鋼管柱の抜き取りおよび挿入等の作業がし易くなる。
【００２５】
（４）片持ち梁構造の直立鋼管柱は単純な構造であるので、設計施工の合理化はいうまでもなく、その結果として工期短縮やコスト縮減も図ることができる。
【００２６】
（５）直立鋼管柱は、長尺になると、上部鋼管と下部鋼管を、さや管継手構造で繋ぐ構成を採用することにより、透過型堰堤の開口部高が高くなっても、略１０ｍ以下であれば適用可能となり、しかも鋼管自体の有する柔でかつ粘り強い特性を阻害せず、維持することができる。
【図面の簡単な説明】
【００２７】
【図１】本発明に係る透過型堰堤の実施例１を説明する図であり、（ａ）は透過型堰堤を下流側から見た図であり、（ｂ）は底版コンクリート上に起立した複数の直立鋼管柱から成る透過部の構成を示す斜視図である。
【図２】上記実施例１を説明する図であり、（ａ）は複数の直立鋼管柱の配置を示す平面図であり、（ｂ）は底版コンクリート上に起立した直立鋼管柱の側面図であり、（ｃ）は底版コンクリートに設けられたさや管基礎構造を示す断面図である。
【図３】上記実施例１において基礎さや鋼管の構成を説明する図であり、（ａ）は内面に形成された間隔調整部材を透視状態で示す基礎さや鋼管の斜視図であり、（ｂ）は基礎さや鋼管内に直立鋼管柱を挿入した状態の水平断面図であり、（ｃ）は（ｂ）の要部拡大図である。
【図４】上記実施例１においてさや管基礎構造を説明する図であり、（ａ）は透過部の要部の垂直断面図であり、（ｂ）は（ａ）のＢ−Ｂ断面図である。
【図５】上記実施例１において、内部連結鋼管を介して繋がれる上部鋼管と下部鋼管から成る直立鋼管柱を説明する図であり、（ａ）は一部を破断して示す直立鋼管柱の斜視図であり、（ｂ）は上部鋼管と下部鋼管の繋ぐさや管継手構造の断面図であり、（ｃ）は（ｂ）のＣ−Ｃ水平断面図である。
【図６】（ａ）〜（ｅ）は、上記実施例１において、さや管継手構造の施工方法を説明する図である。
【図７】本発明の効果を説明する実験結果を示すグラフである。
【図８】上記実施例１において、底版コンクリートから直立鋼管柱を取り外す作業を示す図であり、（ａ）は下流側から見た図であり、（ｂ）は平面図である。
【図９】上記実施例１において、底版コンクリート上に捕捉した土石、流木等を搬出するトラックが乗り入れた状態を示す図であり、（ａ）は下流側から見た図であり、（ｂ）は平面図である。
【図１０】本発明に係る透過型堰堤の実施例２を説明する図であり、上部鋼管と下部鋼管から成る直立鋼管柱を説明する図であり、（ａ）は下部鋼管の一部を破断して示す直立鋼管柱の斜視図であり、（ｂ）は上部鋼管と下部鋼管（充填した砂は省略）のさや管継手構造の断面図である。
【図１１】上記実施例２において、（ａ）は下部鋼管と下部鋼管に設けられたストッパーを示す水平断面図であり、（ｂ）はストッパーの下部鋼管への取付部の要部拡大図であり、（ｃ）は下部鋼管の間隔調整部材を説明する要部水平断面図である。
【図１２】（ａ）〜（ｅ）は、上記実施例２において、さや管継手構造の施工方法を説明する図である。
【発明を実施するための形態】
【００２８】
本発明に係る透過型堰堤を実施するための形態を実施例に基づき図面を参照して、以下説明する。
【実施例】
【００２９】
（実施例１）  
本発明に係る透過型堰堤の実施例１を、図１〜図９を参照して説明する。
【００３０】
実施例１の透過型堰堤１は、図１（ａ）、（ｂ）に示すように、渓流の流れ方向に対して左右に設けられたコンクリート非越流部２と、左右のコンクリート非越流部２の間に設けられた底版コンクリート６及び透過部３と、を備えている。なお、本明細書及び発明では、渓流の流れ方向に対して左右を左右とし、渓流を横切る方向を渓流横断方向という。
【００３１】
透過部３は、底版コンクリート６上に片持ち梁構造で起立して設けられた複数の直立鋼管柱７を備えている。透過部３における複数の直立鋼管柱７は、図１（ｂ）に示すように、渓流横断方向に向けて上流側と下流側に交互に位置するように、換言すると、渓流横断方向に向けて平面視でジグザグ（千鳥状）となるように、渓流方向で２列に配置されている。
【００３２】
しかも、複数の直立鋼管柱７は、その一部を図２（ａ）に平面視で示すが、互いに隣接する直立鋼管柱７の３本の組み合わせで、それらの直立鋼管柱７の中心（軸心）が正三角形を形成するように配置されている。そして、互いに隣接する直立鋼管柱７は、所定の間隔Ｗで配置されている。
【００３３】
本実施例１では、渓流横断方向に向けて平面視でジグザグとなるように、渓流方向で２列に配置されているが、渓流の上流等、流れがより激しく、土石流、流木等の衝突による外力がより大きい設置環境では、渓流横断方向に向けて平面視でジグザグとなるように、渓流方向で３列以上に配置してもよい。また、本発明に係る透過型堰堤を流木捕捉工として適用する場合は、渓流方向で単列（１列）の配置でもよい。
【００３４】
なお、本実施例１における互いに隣接する直立鋼管柱７の間隔Ｗは、互いに隣接する直立鋼管柱７の純間隔（隣接する直立鋼管柱７間の表面間の距離）であり、直立鋼管柱７の軸心間の間隔ではない。このような隣接する直立鋼管柱７の互いの間隔Ｗは、構築する渓流の土石流の状況に応じて決める。
【００３５】
例えば、隣接する直立鋼管柱７の間隔Ｗは、構築する渓流状況から予測して、流れてくる土石のうち比較的大きい巨礫について、最大礫径Ｄ（当該巨礫の最も大きい部分の寸法）と同じ寸法に決める。
【００３６】
仮に、間隔Ｗ＜最大礫径Ｄであると、平時の土砂まで捕捉して計画捕捉量を低減してしまうおそれがある。間隔Ｗ＞最大礫径Ｄであると、最大礫径Ｄ程度の巨礫が、下流側へ簡単にすり抜けてしまい（パチンコ玉が盤上のピンをする抜けるイメージ参照）、土石流の捕捉効果が減少するという問題が生じる。
【００３７】
そして、互いに所定間隔Ｗで隣接する直立鋼管柱７の３本の組み合わせで、直立鋼管柱７の中心が正三角形を形成するように配置されているために、流れてくる巨礫が、透過部３においてその進行方向が変化しても、所定間隔Ｗで隣接する直立鋼管柱７で適宜捕捉される。
【００３８】
直立鋼管柱７を底版コンクリート６に垂直に起立するために、本発明では、さや管基礎構造１０を設ける。さや管基礎構造１０は、図２（ｂ）、（ｃ）に示すように、基礎さや鋼管１１を底版コンクリート６に埋設し、この基礎さや鋼管１１内に直立鋼管柱７（後記する上部鋼管２０と下部鋼管２１から成る直立鋼管柱７の場合は下部鋼管２１）の下部を挿入することで、直立鋼管柱７を底版コンクリート６に垂直に起立する片持ち梁構造である。
【００３９】
基礎さや鋼管１１は、直立鋼管柱７の直径の２倍程度の長さとし、図３（ａ）〜（ｃ）に示すように、その内面に、周方向に例えば９０°間隔で、上端から下端にわたって上下方向に延びる間隔調整部材１２が溶着されている。この間隔調整部材１２を設けることにより、直立鋼管柱７を基礎さや鋼管１１内に同心的に挿入でき、直立鋼管柱７の起立した状態における鉛直度を保つとともにガタつきを防止することができる。
【００４０】
しかも、間隔調整部材１２は、基礎さや鋼管１１の上端から下端にわたって上下方向に延びるように設けられているので、直立鋼管柱７と基礎さや鋼管１１の接触面積が少なくなって、直立鋼管柱７の上下方向の移動に対してガイド（レール）として機能する。そのために、直立鋼管柱７を挿入する際、及び捕捉した土石３２、流木等を除去したりメインテナンス等で直立鋼管柱７を引く抜く際等において、挿入及び引き抜きがスムースでし易くなる。
【００４１】
基礎さや鋼管１１は、図２（ｃ）に示すように、その上端が底版コンクリート６の上面と略同一の高さになるように、埋設する。底版コンクリート６の施工において、基礎さや鋼管１１を埋設する際に、図２（ｃ）に示すように、基礎さや鋼管１１の上端側の近く（例えば、底版コンクリート６の上面より１５ｃｍ程度下方）に、基礎さや鋼管１１の設置部分を避けて、補強鉄筋１５を格子状で水平に配置する。さらに、補強鉄筋１５の１０ｃｍ程度下方に、図２（ｃ）、図４（ａ）、（ｂ）に示すように、アンカー鉄筋１６と支持材１７を水平に配置する。
【００４２】
具体的には、アンカー鉄筋１６は、底版コンクリート６の上面より略２５ｃｍ下方において、複数の基礎さや鋼管１１をそれぞれ当接して挟むように２本ずつ渓流の上下流方向沿って配置する。支持材１７は、山形鋼を使用し、上流側の基礎さや鋼管１１及び下流側の基礎さや鋼管１１に、それぞれ下流側から当接する位置で、渓流横断方向沿って配置する。
【００４３】
図４（ａ）、（ｂ）に示すように、上流側の基礎さや鋼管１１及び下流側の基礎さや鋼管１１に対応して設けられた上流側のアンカー鉄筋１６及び下流側のアンカー鉄筋１６は、それぞれその下流端で、上流側の支持材１７及び下流側の支持材１７に結合（結合構造は図２（ｃ）参照）されている。
【００４４】
下流側のアンカー鉄筋１６は、その上流端でも上流側の支持材１７にも結合されている。このようにして設けた支持材１７は、アンカー鉄筋１６のアンカーとしての役割、機能を有する。ただし、アンカー鉄筋と支持材の配置と接合方法については、基礎さや鋼管１１の配置によって変える場合もある。
【００４５】
このように、アンカー鉄筋１６と支持材１７を配置する構成を採用することにより、基礎さや鋼管１１を周囲から支持し補強するとともに、基礎さや鋼管１１を位置決めする間隔保持材として併用する。
【００４６】
ところで、ジグザグ状に配置される複数の直立鋼管柱７は、それぞれ１本の鋼管で形成しても良いが、渓流の底が深く透過型堰堤１の開口部高が大きくなる透過型堰堤の場合は、図５（ａ）、（ｂ）に示すように、直立鋼管柱７は、上部鋼管２０と下部鋼管２１を、後で詳記するさや管継手構造２２によって上下方向に直線的に繋いで成る構成とする。 
【００４７】
なお、鋼管を３本以上繋いでも良いが、繋ぎ部分を多くすると、工程が増え、強度的にも必ずしも好ましくないこと、また、通常は構築する透過型堰堤１の開口部高が１０ｍ以下であること等を考慮すると、鋼管を３本以上繋いだ構成より、上下２本の鋼管を２本繋いで設ける構成の方が良い。
【００４８】
本実施例１の直立鋼管柱７については、上部鋼管２０と下部鋼管２１の２本の鋼管を直線的に繋いで成る構成で説明する。本発明における上部鋼管２０と下部鋼管２１を直線的に繋ぐ構造を、さや管継手構造２２と言い、本発明の特徴の一つであり従来技術にはない構成である。本発明におけるさや管継手構造２２を次に説明する。
【００４９】
さや管継手構造２２は、図５（ａ）、（ｂ）に示すが、さや管継手構造２２で繋ぎ合わす上部鋼管２０と下部鋼管２１は、外径及び内径について、同じ直径の鋼管が使用され、上部鋼管２０の下端面と下部鋼管２１の上端面は互いに当接されて、全体として上下方向に延びるように配置されている。
【００５０】
下部鋼管２１において、その上端から後記する内部連結鋼管２７の挿入量に相当する深さの位置に、装着孔２４が形成されており、この装着孔２４に、図５（ｂ）、（ｃ）に示すように、ストッパー部材２５が装着されて取り付けられている。ストッパー部材２５は、例えば、細長板から成り、下部鋼管２１の中心位置を通るように水平に取り付けられる。
【００５１】
図５（ａ）、（ｂ）に示すように、上部鋼管２０及び下部鋼管２１より一回り直径が小さな寸法の内部連結鋼管２７が、その長手方向の略中心が、上部鋼管２０及び下部鋼管２１の当接箇所に対応する位置となるように、上部鋼管２０の下部と下部鋼管２１の上部内に挿入され、図５（ｂ）に示すように、下部鋼管２１のストッパー部材２５に載置されている。
【００５２】
内部連結鋼管２７の外面には、図５（ａ）、（ｃ）に示すように、周方向に一定の間隔（本実施例１では９０°間隔）で４箇所に、長手方向全長にわたって延びるように、間隔調整部材２８が溶接されて設けられている。間隔調整部材２８は、例えば、丸鋼（横断面が円形の棒鋼）が使用される。
【００５３】
内部連結鋼管２７の間隔調整部材２８によって、内部連結鋼管２７と上部鋼管２０の間には間隙３５が形成されており、内部連結鋼管２７と下部鋼管２１の間には間隙３６が形成されており、これらの間隙３５、３６には、図５（ａ）、（ｂ）に示すように、砂２９が充填されている。         
【００５４】
間隙３５、３６に砂２９を充填することで、上部鋼管２０及び下部鋼管２１は、それぞれの内面が、ストッパー部材２５上に載置された間隔調整部材２８及び間隙３５、３６に充填された砂２９によって支持され、上部鋼管２０及び下部鋼管２１が互いに繋がれる。
【００５５】
内部連結鋼管２７と上部鋼管２０及び下部鋼管２１の間の間隙３５、３６には、砂２９に替えてセメントペーストを充填して、上部鋼管２０及び下部鋼管２１を、それぞれ内部連結鋼管２７と、より積極的に接着状態として強固に繋ぐ構造としてもよい。
【００５６】
（透過型堰堤の施工方法）
実施例１における透過型堰堤１の施工方法について、以下説明する。まず、底版コンクリート６の下部を打設する。その後、複数の基礎さや鋼管１１を、図２（ａ）に示す複数の直立鋼管柱７の設置位置を考慮して、渓流横断方向に向けて平面視でジグザグ状に仮設置する。
【００５７】
さらに、支持材１７及びアンカー鉄筋１６を図４（ｂ）に示すように、配置してから、仮設置した基礎さや鋼管１１の位置を調整し、補強鉄筋１５を配置する。そして、底版コンクリート６の上部を打設し、基礎さや鋼管１１、アンカー鉄筋１６、支持材１７及び補強鉄筋１５を底版コンクリート６中に、図２（ｃ）に示すように、埋設する。
【００５８】
次に、底版コンクリート６上に、直立鋼管柱７を片持ち梁構造で起立して設置する。この実施例１では、前記したが、直立鋼管柱７は、図５（ａ）、（ｂ）に示すように、上部鋼管２０と下部鋼管２１をさや管継手構造２２で繋いだ構成とする。
【００５９】
そこで、直立鋼管柱７の設置に際しては、図２（ｃ）に示すように、直立鋼管柱７の構成部材である下部鋼管２１を、その下端側から、底版コンクリート６に埋設した基礎さや鋼管１１内に、間隔調整部材１２に沿うように案内して挿入し、底版コンクリート６上に起立する。
【００６０】
次に、図６（ａ）に示すように、下部鋼管２１内に、およそストッパー部材２５近辺の高さまで砂２９を充填し、その後、内部連結鋼管２７を下部鋼管２１内に挿入する。すると、内部連結鋼管２７は、その間隔調整部材２８が下部鋼管２１の内面に沿ってスライドして案内されて自重で降下し、図６（ｂ）に示すように、ストッパー部材２５に載置される位置で停止する。
【００６１】
そして、内部連結鋼管２７の間隔調整部材２８によって内部連結鋼管２７と下部鋼管２１の間に生じる間隙３６に、図６（ｃ）に示すように、砂２９を充填するとともに、内部連結鋼管２７内にも砂２９を充填する。
【００６２】
その後、上部鋼管２０を、内部連結鋼管２７に外側から被せるように挿入する。この挿入において、上部鋼管２０は、内部連結鋼管２７の間隔調整部材２８によって案内されて自重で降下し、その下端面が下部鋼管２１の上端面に当接し、図６（ｄ）に示すように、上部鋼管２０は下部鋼管２１上に載置される。
【００６３】
そして、内部連結鋼管２７の間隔調整部材２８によって内部連結鋼管２７と上部鋼管２０の間に生じる間隙３５に、図６（ｅ）に示すように、砂２９を充填するとともに、内部連結鋼管２７内にも砂２９を充填する。なお、前記したとおり、間隙３５、３６には、砂に替えてセメントペーストを充填して、上部鋼管２０及び下部鋼管２１を、それぞれ内部連結鋼管２７と、より積極的に接着し強固に繋いでもよい。
【００６４】
以上の工程によってさや管継手構造２２を形成することができ、下部鋼管２１と上部鋼管２０は、内部連結鋼管２７の間隔調整部材２８によって支持されるとともに、間隔調整部材２８によって、内部連結鋼管２７と、上部鋼管２０及び下部鋼管２１の間に生じる間隙３５、３６に充填された砂２９（又はセメントペースト）によっても支持されて、上部鋼管２０及び下部鋼管２１が互いに上下方向に延びるよう繋がれる。
【００６５】
以上の施工方法で形成された上部鋼管２０及び下部鋼管２１から成る直立鋼管柱７を備えた透過型堰堤１では、複数の直立鋼管柱７は、その中に中詰材として砂２９が充填された砂詰鋼管柱とされる。直立鋼管柱７は、砂詰鋼管柱とすると、砂２９が充填されていない中空鋼管柱に比べて、より粘り強い変形特性を持つことになる。
【００６６】
この点について、本発明者等は、片持ち梁構造の直立鋼管柱を、砂詰鋼管とした場合と、砂が充填されていない中空鋼管とした場合について、実証試験と解析による結果を整理して両者の粘り強さを対比した。そのことによって、巨礫等の衝突より生じる、砂詰鋼管及び中空鋼管それぞれの衝突方向への傾斜角度（°）と曲げモーメント（ｋＮ・ｍ）の関係を確認し、砂詰鋼管と中空鋼管の粘り強さを対比した。
【００６７】
この結果、図７のグラフに示すように、砂詰鋼管と中空鋼管の「曲げモーメント−傾斜角」の関係曲線が得られた。対象とした砂詰鋼管及び中空鋼管の寸法は、いずれも直径５０８ｍｍで肉厚１２ｍｍである。
【００６８】
礫径１ｍの礫が流速５ｍ／ｓの衝突エネルギーで衝突した際の、砂詰鋼管及び中空鋼管それぞれの傾斜角度１．４°及び１．５°における吸収エネルギーが、それぞれの曲線の積分値で示されている。同様に、礫径１ｍの礫が流速１０ｍ／ｓの衝突エネルギーで衝突した際の、砂詰鋼管及び中空鋼管それぞれの傾斜角度４．６°及び５．１°における吸収エネルギーが、それぞれの曲線の積分値で示されている。
【００６９】
この図７に示す実験結果からみて、砂詰鋼管は中空鋼管に比べて礫の衝突時の吸収エネルギーは大きく、より大きな衝突エネルギーを受容できることを示している。
【００７０】
そのために、中空鋼管は、礫の衝突をうけたとき、底版コンクリート支持部（実施例１では、直立鋼管柱のうち基礎さや鋼管に挿入された挿入部のすぐ上の根元部分に相当）の曲げ応力度が塑性域にはいると、局部座屈（へこみ変形）がおこり、それによるたわみ変形の進行にともない抵抗曲げモーメントが減少するひずみ軟化現象が生じる。
【００７１】
一方、砂詰鋼管は、このようなへこみ変形が、充填された砂によって抑制されるため、曲げ応力度が塑性域に達した後も、一定の傾斜角までは、曲げモーメントが低下することなく変形する。
【００７２】
つまり、直立鋼管柱の限界塑性回転角を１５°（落石防護柵等では石等で塑性変形され破損の限界となる柵支柱の曲げ傾斜角度）としたときの限界吸収エネルギー（それぞれ図７中で吸収エネルギーとして示す領域の面積）は中空鋼管柱よりも砂詰鋼管のほうが一段と大きく、粘り強い変形特性を持つことが示されている。     
【００７３】
以上要するに、本発明では、従来技術のように、フランジ結合等を用いることないので、巨礫等の衝突による外力がかかっても、そのような結合部分の破損が生じることがなく、また直立鋼管柱を砂詰鋼管柱とすることで、片持ち梁構造で起立した鋼管自体の有する柔な特性と、砂２９を充填したことによる巨礫に対する粘り強い変形特性を備えているので、土石、流木等の衝突に対して粘り強い耐力を有する。
【００７４】
さらに、前記したとおり、基礎さや鋼管１１の左右両側及び下流側に、それぞれアンカー鉄筋１６、及びアンカー鉄筋１６のアンカーとしての機能を有する支持材１７が配設されているので、基礎さや鋼管１１の設置された周囲のコンクリート部は、補強されており、また、基礎さや鋼管１１自体も周囲から支持、補強されている。
【００７５】
そして、基礎さや鋼管１１は、アンカー鉄筋１６と支持材１７によって、図２（ａ）等で示した所定の位置に位置決めされ保持される。特に、基礎さや鋼管１１は、支持材１７によって下流側から支持されることで、土石、流木等によって加わる渓流の下流側への外力に対しても強化され、下流側への位置ズレ、変形等が抑制される。
【００７６】
本発明の透過型堰堤１の直立鋼管柱７は、基礎さや鋼管１１に挿脱可能な構成とし、しかも直立鋼管柱７が挿入される基礎さや鋼管１１の内面には、９０°間隔で間隔調整部材１２が上下方向に延びるように設けられているので、鋼管柱の鉛直度が保たれガタつきを抑えるとともに、ガイドとしても機能し、直立鋼管柱７は、基礎さや鋼管１１にスムースに挿脱が可能となる。
【００７７】
透過型堰堤１によって捕捉された土石３２、流木等を除去する場合、或いはメインテンスにおいて直立鋼管柱７を交換する場合に、従来は、堰堤の左右のコンクリート側壁の袖天端を乗り越えるようなルートで除石管理用道路を設置したが、本発明の透過型堰堤１によれば、そのような除石管理用道路の設置は省略できる。
【００７８】
即ち、図８に示すように、透過型堰堤１では、透過部３に設置されている直立鋼管柱７を重機３３で引き抜いて撤去すれば、図９に示すように、バックホウやトラック等の除石・除木用機材３４を底版コンクリート６上に、下流側から乗り入れることで、捕捉し溜まった土石３２、流木等を、直接トラックに収容し搬出することができる。
【００７９】
また、透過型堰堤１は、上部鋼管２０と下部鋼管２１が、さや管継手構造２２で内部連結鋼管２７を介して上下方向に繋ぎ合わされているので、渓流の深さが深く、大きな開口部高の透過型堰堤１にも適用可能である。
【００８０】
そして、上記構成の上部鋼管２０と下部鋼管２１を内部連結鋼管２７を介して繋ぐさや管継手構造２２では、内部連結鋼管２７の外面に９０°間隔で、上下方向に延びる間隔調整部材２８を設けたので、上部鋼管２０及び下部鋼管２１は、内部連結鋼管２７の外周囲に均等な間隙３５、３６を形成して同心的に挿入可能であり、挿入後のガタつきを抑制できる。
【００８１】
さらに、さや管継手構造２２は、均等な間隙３５、３６内に砂２９（又はセメントペースト）が充填されるので、上部鋼管２０及び下部鋼管２１は、内部連結鋼管２７の外側に均等に支持され、繋ぎの強度も十分である。しかも、さや管継手構造２２は、従来技術のようなフランジ継手部による剛い構造と異なり、鋼管自体の有する柔でかつ粘り強い特性を阻害しない接続構造でもある。
【００８２】
（実施例２）
本発明に係る透過型堰堤の実施例２を、図１０〜図１２を参照して説明する。実施例２は、実施例１と略同じであるが、さや管継手構造についてのみ異なる。従って、実施例２は、実施例１と異なるさや管継手構造の構造及び施工方法を中心に説明する。
【００８３】
ところで、実施例２については、図１〜図４及び図７〜図９は、実施例１と基本的には共通であるので、それらの図に係る構造及び施工方法等の説明は省略し、共通する部分等の符号は、実施例１と同じ符号を使用する。なお、実施例２のさや管継手構造は、実施例１のさや管継手構造２２と異なるが、符号は実施例１と同様に同じ符号を使用し、「さや管継手構造２２」とする。
【００８４】
そして、実施例２における下部鋼管は、後記するが上部鋼管より少し大径であり、間隔調整部材を有する構成であるのに対して、実施例１における下部鋼管２１は、上部鋼管２０と同径であり、間隔調整部材を有さない構成である点において異なるが、その他については特に異なる構成はないので、実施例２の上部鋼管と下部鋼管においても、符号は実施例１と同様に、「上部鋼管２０」と「下部鋼管２１」として、以下説明する。
【００８５】
さや管継手構造２２で繋ぎ合わす上部鋼管２０と下部鋼管２１は、同じ鋼管を使用するが、図１０（ａ）、（ｂ）に示すように、下部鋼管２１は、上部鋼管２０より一回り直径が大きな寸法とする。上部鋼管２０と下部鋼管２１を繋ぐ時には、上部鋼管２０の下端側を下部鋼管２１の上部に挿入するが、その挿入量（差込部の長さ）は、上部鋼管２０の直径の略２倍とする。
【００８６】
下部鋼管２１において、その上端から上部鋼管２０の挿入量に相当する深さの位置に、図１０（ｂ）、図１１（ｂ）に示すように、装着孔２４が形成されており、この装着孔２４にストッパー部材２５が装着されて取り付けられている。ストッパー部材２５は、例えば、図１０（ｂ）、図１１（ａ）、（ｂ）に示すように、細長板から成り、下部鋼管２１の中心位置を通るように水平に取り付けられる。
【００８７】
また、下部鋼管２１の内面において、上端から下方に向けて上部鋼管２０の挿入量の１／３〜１／２程度の長さに、図１１（ｃ）に示すように、下部鋼管２１の中心に向けて突出した間隔調整部材２６が設けられている。間隔調整部材２６は、下部鋼管２１の内面の周方向に９０°間隔をおいて、上下方向に直線的に延びるように溶接等で固定されている。
【００８８】
さや管継手構造２２は、下記の施工方法の説明でもさらに詳記するが、図１２（ａ）〜（ｅ）に示すように、下部鋼管２１内に上部鋼管２０の下端側を、ストッパー部材２５に載置する深さまで挿入し、間隔調整部材２６を介して生じる上部鋼管２０と下部鋼管２１の間隙２３内に、セメントペースト３０を充填し、両者を繋ぎ合わせて形成する。
【００８９】
なお、セメントペースト３０に替えて、砂を上部鋼管２０と下部鋼管２１の間隙２３内に充填し、この砂と間隔調整部材２６を介して上部鋼管２０を下部鋼管２１によって支持する構造としてもよい。
【００９０】
（実施例２の透過型堰堤の施工方法）
実施例２の透過型堰堤の施工方法は、実施例１の透過型堰堤の施工方法と略同じであるので、ここでは、実施例１とは異なるさや管継手構造２２の施工工程を中心に、以下説明する。
【００９１】
実施例１と同様な施工工程によって、底版コンクリート６に埋設した基礎さや鋼管１１を設置する。直立鋼管柱７の設置に際しては、図２（ｃ）に示すように、直立鋼管柱７の構成部材である下部鋼管２１の下端側を、底版コンクリート６に埋設した基礎さや鋼管１１内に、間隔調整部材１２に沿うように案内して挿入し、底版コンクリート６上に起立する。
【００９２】
次に、図１２（ａ）に示すように、下部鋼管２１内に、およそストッパー部材２５近辺の高さまで砂２９を充填し、この砂２９の上から、図１２（ｂ）に示すように、セメントペースト３０を所定量入れる。
【００９３】
その後、図１２（ｃ）に示すように、上部鋼管２０を下部鋼管２１内に挿入する。すると、上部鋼管２０は、図示はしないが間隔調整部材２６に沿って案内され、図１２（ｄ）に示すように自重で降下し、図１２（ｅ）に示すストッパー部材２５に載置する位置で停止する。
【００９４】
上部鋼管２０は、この降下の過程で、セメントペースト３０を上部鋼管２０と下部鋼管２１の間隙２３内で押し上げて（図１２（ｄ）参照）、セメントペースト３０を間隙２３内で下部鋼管２１の上端部まで充填する（図１２（ｅ）参照）。砂２９の上から充填するセメントペースト３０の前記所定量は、下部鋼管２１と上部鋼管２０の間隙２３内で下部鋼管２１の略上端部まで充填するに必要な量である。
【００９５】
下部鋼管２１と上部鋼管２０の間隙２３に充填されたセメントペースト３０によって、上部鋼管２０の挿入部分は下部鋼管２１内で固定され、上部鋼管２０と下部鋼管２１は繋ぎ合わされ、さや管継手構造２２が形成される。その後、図示はしないが、上部鋼管２０にその上端まで砂２９を充填する。
【００９６】
あるいは、上下鋼管の間の間隙２３にのみセメントペーストを充填する方法もある。その場合、砂詰めした下部鋼管に上部鋼管を挿入した後、フレキシブルホースを間隙２３の下部まで挿入し、ポンプ等でセメントペーストを注入して間隙２３の上面までセメントペーストが上がってくるまで行う。セメントペーストの注入は上部鋼管２０の間隔調整部材２６間の周方向４箇所で行う。
【００９７】
そして、上記構成の上部鋼管２０と下部鋼管２１を繋ぐさや管継手構造２２では、下部鋼管２１の内面に９０°間隔で、上下方向に延びる間隔調整部材２６を設けたので、上部鋼管２０は下部鋼管２１内に、周囲に均等な間隙２３を形成して同心的に挿入可能であり、挿入後のガタつきを抑制できる。
【００９８】
さらに、さや管継手構造２２は、均等な間隙２３内にセメントペースト３０が充填されるので、上部鋼管２０は、下部鋼管２１内で周囲から均等に固定され、繋ぎの強度も十分である。しかも、さや管継手構造２２は、従来技術のようなフランジ継手部による剛い構造と異なり、鋼管自体の有する柔でかつ粘り強い特性を阻害しない接続構造でもある。
【００９９】
なお、前記したとおり、セメントペースト３０を充填することなく、砂を上部鋼管２０と下部鋼管２１の間隙２３内に充填し、この砂と間隔調整部材２６を介して上部鋼管２０を下部鋼管２１によって支持する構造としてもよいが、その場合には、上部鋼管２０を下部鋼管２１内に挿入した後、砂を上部鋼管２０と下部鋼管２１の間隙２３内に充填すればよい。
【０１００】
以上、本発明に係る透過型堰堤を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１０１】
本発明に係る透過型堰堤は、上記のような構成であるから、渓流における土石、流木、等を捕捉する透過型堰堤や流木捕捉工はもちろんのこと、落石防護柵、車輌防護柵等の各種の防護柵にも適用可能である。
【符号の説明】
【０１０２】
１  透過型堰堤
２  コンクリート非越流部
３  透過部
６  底版コンクリート
７  直立鋼管柱
１０  さや管基礎構造
１１  基礎さや鋼管
１２  基礎さや鋼管の間隔調整部材
１５  補強鉄筋
１６  アンカー鉄筋
１７  支持材
２０  上部鋼管
２１  下部鋼管
２２  さや管継手構造
２３  上部鋼管と下部鋼管の間隙
２４  ストッパー部材の装着孔
２５  ストッパー部材
２６  下部鋼管の間隔調整部材
２７  内部連結鋼管
２８  内部連結鋼管の間隔調整部材
２９  砂
３０  セメントペースト
３２  土石
３３  重機
３４  トラック
３５  内部連結鋼管と上部鋼管の間隙
３６  内部連結鋼管と下部鋼管の間隙
【図１】
2019157578.tif 000003
【図２】
2019157578.tif 000004
【図３】
2019157578.tif 000005
【図４】
2019157578.tif 000006
【図５】
2019157578.tif 000007
【図６】
2019157578.tif 000008
【図７】
2019157578.tif 000009
【図８】
2019157578.tif 000010
【図９】
2019157578.tif 000011
【図１０】
2019157578.tif 000012
【図１１】
2019157578.tif 000013
【図１２】
2019157578.tif 000014